(57)【特許請求の範囲】
【請求項１】
複数の可搬型通信端末と管理サーバとが通信ネットワークで接続され、
当該複数の可搬型通信端末を組み合わせることにより、
一つの表示装置として利用する端末結合表示システムであって、
前記管理サーバは、
前記可搬型通信端末に表示される結合可能方向を示すアイコンの位置情報ならびに当該アイコンに対する操作内容および操作時刻、さらに当該可搬型通信端末の端末識別情報を含む操作情報を取得する操作情報取得部と、
前記操作情報を記憶する操作情報記憶部と、
前記操作情報のうち、操作時刻が時系列的に近接し、かつアイコンの位置情報が所定の対応関係にある操作情報を抽出し、当該操作情報に含まれる端末識別情報に基づき結合対象となる可搬型通信端末である結合対象端末を特定する結合対象端末特定部と、
前記結合対象端末の端末識別情報に所定の分類情報とともに記憶する結合対象端末情報記憶部と、
前記結合対象端末に対し、前記分類情報に基づく表示制御指示を配信する表示制御指示配信部と、
前記操作情報に基づき、同一の前記分類情報が付与された複数の可搬型通信端末において端末結合処理を実行する操作が行われたことを判定する結合操作判定部と、
前記結合操作判定部の判定結果に基づき、結合対象となる可搬型通信端末に対して結合処理実行指示を送信する結合処理指示部と、を備える
ことを特徴とする端末結合表示システム。
【請求項２】
前記端末結合表示システムにおける前記可搬型通信端末は、
前記可搬型通信端末同士の結合させることが可能な方向を示すアイコンをディスプレイに表示するアイコン表示部と、
前記アイコンに対する操作内容および操作時刻ならびに当該アイコンの位置情報に、前記可搬型通信端末の端末識別情報を加えた操作情報を生成し、前記管理サーバに送信する操作情報生成部と、
前記管理サーバから受信した前記表示制御指示に従い、前記可搬型通信端末のディスプレイにおける表示変更を実行する表示変更実行部と、
前記管理サーバから受信した前記結合処理実行指示に従い、別の可搬型通信端末との結合処理を実行する結合処理実行部と、を備える
ことを特徴とする請求項１に記載の端末結合表示システム。
【請求項３】
前記管理サーバの前記結合対象端末特定部は、
前記特定した結合対象端末のうちいずれか一方が、既に前記結合対象端末情報記憶部に記憶されているかを検索する対象端末検索手段と、
前記検索の結果、既に記憶されている場合は、登録済みの可搬型通信端末と同一の分類情報を付与し、前記結合対象端末情報記憶部に記憶する追加記憶手段と、を有する
ことを特徴とする請求項１から請求項２に記載の端末結合表示システム。
【請求項４】
前記管理サーバは、さらに、
前記結合操作判定部の判定結果に基づき、結合処理実行済み可搬型通信端末の端末識別情報および結合済方向情報を記憶する結合済端末情報記憶部と、
前記結合処理実行済み可搬型通信端末に対し、前記結合済方向情報を配信する結合済方向情報配信部と、を備え、
前記可搬型通信端末のアイコン表示部は、
前記管理サーバから受信した結合済方向情報に基づき、前記可搬型通信端末同士の結合させることが可能な方向を示すアイコンの表示を修正するアイコン表示修正手段と、を有する
ことを特徴とする請求項１から請求項３に記載の端末結合表示システム。
【請求項５】
複数の可搬型通信端末と
結合対象となる可搬型通信端末の情報を記憶する結合対象端末情報記憶部を備える管理サーバとが
通信ネットワークで接続され、
当該結合対象となる複数の可搬型通信端末を組み合わせることにより、
一つの表示装置として利用する端末結合表示システムに用いるプログラムであって、
前記管理サーバに、
前記可搬型通信端末に表示される結合可能方向を示すアイコンの位置情報ならびに当該アイコンに対する操作内容および操作時刻、さらに当該可搬型通信端末の端末識別情報を含む操作情報を取得する操作情報取得機能と、
前記操作情報を記憶する操作情報記憶機能と、
前記操作情報のうち、操作時刻が時系列的に近接し、かつアイコンの位置情報が所定の対応関係にある操作情報を抽出し、当該操作情報に含まれる端末識別情報に基づき結合対象となる可搬型通信端末である結合対象端末を特定する結合対象端末特定機能と、
前記結合対象端末の端末識別情報に所定の分類情報とともに前記結合対象端末情報記憶部に記憶させる機能と、
前記結合対象端末に対し、前記分類情報に基づく表示制御指示を配信する表示制御指示配信機能と、
前記操作情報に基づき、同一の前記分類情報が付与された複数の可搬型通信端末において端末結合処理を実行する操作が行われたことを判定する結合操作判定機能と、
前記結合操作判定部の判定結果に基づき、結合対象となる可搬型通信端末に対して結合処理実行指示を送信する結合処理指示機能と、
を実行させることを特徴とする端末結合表示プログラム。
【発明の詳細な説明】
【技術分野】
【０００１】
本発明は、可搬型通信端末のディスプレイ部分にコンテンツを表示する技術に関し、とくに複数の可搬型通信端末を並べて組み合わせる（結合する）ことにより、各々のディスプレイ部分を一つの大きな表示装置としてコンテンツを表示する技術に関する。
【背景技術】
【０００２】
一般的に、タブレット型コンピュータなどの可搬型通信端末を家庭における日常生活で使用することが増加している。近年、学校教育や企業の研修などの場面においても、タブレット型コンピュータを使うことも増えている。しかし、複数人で一つのタブレット型コンピュータを利用する場合に、そのディスプレイ部分が小さいという問題がある。例えば、学校の授業、特にグループ学習において、１班に１台のタブレット型通信端末を利用する際に、複数人がディスプレイに映し出されるコンテンツを協同で操作する、と言うような場面において、ディスプレイが小さいという問題が発生する。
【０００３】
上記の問題を解決する手段として、携帯端末の分野において、複数の携帯端末各々のディスプレイに元の画面を分割した分割画面を表示し、分割画面を連結して元の画面を大きなサイズで表示するという技術がある。この技術において、携帯端末に取り付けられた非接触ＩＣを利用した通信によって携帯端末各々の組み合わせ位置を事前に決定し、当該決定した組み合わせ位置に応じた分割画面を配信するという手段が用いられている。これにより、携帯端末の使用者は、元の画面を大きなサイズで見ることができる。（特許文献１参照）
【０００４】
また、タブレット型通信端末の分野において、複数のタブレット型通信端末を合体して（組み合わせて）、一枚のシートのように取り扱い、当該シートに対して各タブレット型通信端末の使用者が、協同して編集することができるという技術がある。この技術において、各タブレット型通信端末は、無線ＬＡＮ接続された管理サーバに対して、自身の組み合わせ位置を事前に設定しておくことにより、管理サーバから当該設定位置に応じた画像が配信されるという手段が用いられている。これにより、各端末における編集操作が管理サーバにより統合管理されるとともに、各端末に配信されるため、使用者はあたかも一つの大きなシートを閲覧・編集しているような感覚で協同作業を実施することができる。（非特許文献１参照）
【先行技術文献】
【特許文献】
【０００５】
【特許文献１】特開２００９−９４７７５号公報
【非特許文献】
【０００６】
【非特許文献１】鈴木栄幸、舟生日出男、久保田善彦、“タブレット端末を利用した集散的協同学習の支援−ＸｉｎｇＢｏａｒｄ：クロッシングボードの概念と試作”、信学技報ｖｏｌ．１１３、ｎｏ．１６６、一般社団法人電子情報通信学会、２０１３年７月、ｐ．４１−ｐ．４６
【発明の概要】
【発明が解決しようとする課題】
【０００７】
特許文献１の技術を用いると、ディスプレイに映し出されるコンテンツを大きなサイズで表示することはできる。しかし、複数の非接触ＩＣを上下左右に備えた特殊なハードウェア構成を有する携帯端末（又はタブレット型通信端末）を用意する必要がある。このため、汎用性に欠けるという問題点がある。例えば、学校や企業など、多くの作業者が多数のタブレット型通信端末を持ち寄って作業をすることが予想される環境の場合、上記のように複数の非接触ＩＣを備えた特殊な端末を大量に用意するのが困難であることが多々ある。こうした学校や企業などの環境の場合、汎用性に乏しい特許文献１の技術は適さないといえる。
【０００８】
非特許文献１の技術を用いると、コンテンツを大きなサイズで表示することができるとともに、あたかも一つの大きなシートを編集するかのような感覚で協同作業を行うことができる。しかし、各タブレット型通信端末の結合位置を、管理サーバに事前設定する必要がある。このため、操作性に欠けるという問題点がある。例えば、小学校低学年の学習者が、自分自身で設定作業をするのは容易ではなく、また、間違った組み合わせ位置を設定してしまう可能性も考えられる。さらに、学校の授業においては、教師が端末一台一台の設定を行う時間は無いため、学習者自身が設定を容易に行えるように、直感的な操作方法や、誤操作を防止する仕組みが求められる。
【０００９】
本発明は、上記従来技術の問題点を解消することを課題とする。具体的には、複数の可搬型通信端末を並べて組み合わせる（結合する）ことにより、各々のディスプレイ部分を一つの大きな表示装置としてコンテンツを表示する技術において、直感的で簡単な操作によって結合位置の設定ができる操作性の良さと、誤操作を防止する仕組みを兼ね備えたシステムを提供することを課題とする。
【課題を解決するための手段】
【００１０】
上記の課題を解決するために、本発明の結合表示システムは、複数の可搬型通信端末と管理サーバとが通信ネットワークで接続される形式で構成されており、その管理サーバは、可搬型通信端末に表示される結合可能方向を示すアイコンの位置情報ならびに当該アイコンに対する操作内容および操作時刻、さらに可搬型通信端末の端末識別情報を含む操作情報を取得する操作情報取得部と、操作情報を記憶する操作情報記憶部と、操作情報のうち、操作時刻が時系列的に近接し、かつアイコンの位置情報が所定の対応関係にある操作情報を抽出し、その操作情報に含まれる端末識別情報に基づき結合対象となる可搬型通信端末を特定する結合対象端末特定部と、結合対象端末の端末識別情報に所定の分類情報とともに記憶する結合対象端末情報記憶部と、結合対象端末に対し、分類情報に基づく表示制御指示を配信する表示制御指示配信部と、操作情報に基づき、同一の前記分類情報が付与された複数の可搬型通信端末において端末結合処理を実行する操作が行われたことを判定する結合操作判定部と、結合操作判定部の判定結果に基づき、結合対象となる可搬型通信端末に対して結合処理実行指示を送信する結合処理指示部と、を備えることを特徴としている。
【００１１】
本発明の構成を採用することにより、ユーザが管理サーバに対して、結合対象となる可搬型通信端末の情報や、その結合位置を事前に設定登録する等の特別な操作をせずとも、管理サーバ側で自動的に判定することができる。さらに、実際の結合処理を実行する前に結合対象端末を特定しておくことにより、意図しない端末との結合が行われるような誤操作を防止することもできる。これにより、操作性の良さと、誤操作を防止する仕組みを兼ね備えたシステムの提供が可能となる。
【００１２】
本発明の端末結合表示システムにおける前記可搬型通信端末は、可搬型通信端末同士の結合させることが可能な方向を示すアイコンをディスプレイに表示するアイコン表示部と、アイコンに対する操作内容および操作時刻ならびにアイコンの位置情報に、可搬型通信端末の端末識別情報を加えた操作情報を生成し、管理サーバに送信する操作情報生成部と、管理サーバから受信した表示制御情報に従い、可搬型通信端末のディスプレイにおける表示変更を実行する表示変更実行部と、管理サーバから受信した結合処理実行指示に従い、別の可搬型通信端末との結合処理を実行する結合処理実行部と、を備えるという構成にしてもよい。
【００１３】
本発明の構成を採用することにより、どの方向に可搬型通信端末同士を結合させたらよいか、ユーザにとって分かりやすい表示を実現することができる。さらに、結合対象端末のディスプレイ表示を変更させることにより、どの端末同士が結合対象端末なのかが明確になり、ユーザの視認性が向上するとともに、意図しない端末との結合が行われるような誤操作を防止することもできる。これにより、操作性の良さと、誤操作を防止する仕組みを兼ね備えたシステムの提供が可能となる。
【００１４】
本発明における管理サーバに含まれる結合対象端末特定部は、特定した結合対象端末のうちいずれか一方が、既に結合対象端末情報記憶部に記憶されているかを検索する対象端末検索手段と、検索の結果、既に記憶されている場合は、登録済みの可搬型通信端末と同一の分類情報を付与し、結合対象端末情報記憶部に記憶する追加記憶手段と、を有するという構成としてもよい。
【００１５】
本発明の構成を採用することにより、結合対象端末を２端末から３端末以上へと、追加的に増やしていくことが可能となる。また、既に他の端末との間で結合済みの可搬型通信端末に対し、追加して新規の可搬型通信端末を結合することも可能となる。
【００１６】
本発明における管理サーバはさらに、結合操作判定部の判定結果に基づき、結合処理実行済み可搬型通信端末の端末識別情報および結合済方向情報を記憶する結合済端末情報記憶部と、結合済み端末に対し、結合済方向情報を配信する結合済方向情報配信部と、を備え、可搬型通信端末のアイコン表示部は、管理サーバから受信した結合済方向情報に基づき、可搬型通信端末同士の結合させることが可能な方向を示すアイコンの表示を修正するアイコン表示修正手段と、を有するという構成としてもよい。
【００１７】
本発明のように構成することにより、可搬型通信端末のディスプレイにおいて、結合可能な方向にのみアイコンを標示させるという処理が可能となる。具体的には、既に別の可搬型通信端末と結合済みの方向について、アイコンを標示させないという処理を実現することができる。
【００１８】
なお、本発明のプログラムを端末に読み込ませて実行することで、上述の特徴を実現させることも可能である。つまり、可搬型通信端末に表示される結合可能方向を示すアイコンの位置情報ならびに当該アイコンに対する操作内容および操作時刻、さらに当該可搬型通信端末の端末識別情報を含む操作情報を取得する操作情報取得機能と、操作情報を記憶する操作情報記憶機能と、操作情報のうち、操作時刻が時系列的に近接し、かつアイコンの位置情報が所定の対応関係にある操作情報を抽出し、当該操作情報に含まれる端末識別情報に基づき結合対象となる可搬型通信端末を特定する結合対象端末特定機能と、結合対象端末の端末識別情報に所定の分類情報とともに結合対象端末情報記憶部に記憶させる機能と、結合対象端末に対し、分類情報に基づく表示制御指示を配信する表示制御指示配信機能と、操作情報に基づき、同一の分類情報が付与された複数の可搬型通信端末において端末結合処理を実行する操作が行われたことを判定する結合操作判定機能と、結合操作判定部の判定結果に基づき、結合対象となる可搬型通信端末に対して結合処理実行指示を送信する結合処理指示機能を管理サーバに実現させるプログラム、として本発明を構成してもよい。
【００１９】
これらの端末結合表示ログラムも、上述の端末結合表示システムと同様の作用効果を伴うものである。
【００２０】
本発明における可搬型通信端末とは、持ち運び可能な通信端末で、特にユーザが自身の指でディスプレイをタッチすることで操作可能な、タッチパネル型通信端末のことを想定している。一般的に「タブレット型通信端末」や「スマートフォン」と呼ばれる通信端末が、一例として考えられる。
【００２１】
本発明におけるディスプレイとは、可搬型通信端末の表示装置ことで、特に、ユーザがタッチして操作可能なタッチパネル型表示装置のことをいう。以下、説明の便宜上、可搬型通信端末における表示装置と入力装置を兼ね備えた装置のことを、「ディスプレイ」と称することとする。
【００２２】
本発明における結合とは、二台以上の可搬型通信端末を組み合わせる（ペアリングする）ことをいう。具体的には、二台以上の可搬型通信端末を並べ、互いの可搬型通信端末が通信連携することにより、あたかも一台の端末であるかのように動作することをいう。
【００２３】
本発明における結合表示とは、結合した二台以上の可搬型通信端末のディスプレイ上にまたがる形で、一つの表示対象物を表示することをいう。具体的には、二台以上のタブレット型通信端末の画面を、あたかも一つの大きな画面のように使って、一枚の写真を大きく表示することが一例として考えられる。
【００２４】
本発明における結合可能方向とは、可搬型通信端末が他の可搬型通信端末と、どの側面で接続できるのかを示す方向のことをいう。具体的に説明すると、タブレット型通信端末（四角形）であれば、上下左右の四辺を有しているが、その中で、他のタブレット型通信端末と接する「辺」のことをいう。なお、結合済方向とは、可搬型通信端末が他の可搬型通信端末と「結合した」方向のことをいう。
【００２５】
本発明におけるアイコンとは、可搬型通信端末を結合する際にユーザが操作するユーザインタフェースのことで、特に可搬型通信端末の結合方向を示すもののことをいう。具体的には、可搬型通信端末のディスプレイに表示される丸印、矢印、または記号等が一例として考えられる。
【００２６】
本発明における操作情報とは、ユーザが可搬型通信端末に対して各種操作を実行した際に生成される情報のことをいう。少なくとも、ユーザがアイコンを使って実行した操作に関する情報は含まれるものとする。
【００２７】
本発明における対応関係とは、複数の可搬型通信端末が結合するにあたっての対になる関係のことをいう。具体的には、位置情報における右に対する左、上に対する下（または、右と右、左と左）等が一例として考えられる。
【００２８】
本発明における端末識別情報とは、可搬型通信端末を一義的に識別特定するための情報のことをいう。具体的には、ＭＡＣアドレスや端末シリアル番号等が一例として考えられる。
【００２９】
本発明における分類情報とは、結合対象となっている端末を識別するための情報のことをいう。具体的には、可搬型通信端末ＡとＢとが結合対象端末であり、可搬型通信端末ＣとＤとが結合対象となっている場合、それぞれを識別するために端末ＡとＢとを「グループ１」、端末ＣとＤとを「グループ２」とする場合における、「グループ１」や「グループ２」という情報が、分類情報に当たる。
【発明の効果】
【００３０】
上述のように構成された本発明によれば、複数の可搬型通信端末を結合する場合において、ユーザによる直感的で簡単な操作によって結合位置の設定ができる操作性の良さと、意図しない端末との結合が行われるような誤操作を防止する仕組みを兼ね備えたシステムを提供することができる。
【図面の簡単な説明】
【００３１】
【図１】本発明のシステム構成の一例を示す概念図。
【図２】本発明における管理サーバＡのハードウェア構成の一例を示す概念図。
【図３】本発明における端末Ｂのハードウェア構成の一例を示す概念図。
【図４】実施例１におけるシステム構成の一例を示す機能ブロック図。
【図５】実施例１における処理プロセス（操作情報記憶）の一例を示すフローチャート。
【図６】実施例１における処理プロセス（結合対象判定）の一例を示すフローチャート。
【図７】実施例１における処理プロセス（結合実行）の一例を示すフローチャート。
【図８】端末Ｂのディスプレイ８に表示されるアイコンの一例を示す図。
【図９】操作情報記憶部２１に記憶される操作情報の一例を示す図。
【図１０】結合対象端末情報記憶部２２に記憶される結合対象端末情報の一例を示す図。
【図１１】表示制御指示配信部１４の内部に設ける表示制御指示テーブルの一例を示す図。
【図１２】実施例１における端末Ｂのディスプレイ８に対する色調変更の一例を示す図。
【図１３】実施例１における結合対象端末で実行される結合実行操作の一例を示す図。
【図１４】実施例１における結合処理の座標調整の一例を示す図。
【図１５】実施例１における物理座標からクライアント座標への変換の一例を示す図。
【図１６】実施例２におけるシステム構成の一例を示す機能ブロック図。
【図１７】実施例２における処理プロセス（結合対象判定）の一例を示すフローチャート。
【図１８】追加記憶手段１２ｄによる追加記憶後の結合対象端末情報記憶部２２の一例を示す図。
【図１９】実施例３におけるシステム構成の一例を示す機能ブロック図。
【図２０】実施例３における処理プロセス（結合済方向情報配信）の一例を示すフローチャート。
【図２１】実施例３における処理プロセス（アイコン表示修正）の一例を示すフローチャート。
【図２２】結合済端末情報記憶部２３に記憶する結合済端末情報の一例を示す図。
【図２３】実施例３における端末Ｂのディスプレイ８に表示されるアイコンの一例を示す図。
【発明を実施するための形態】
【００３２】
以下、図面を用いて本発明の実施形態を説明する。本発明はクライアントサーバ形式にて実施される。図１に本発明の結合表示システムの全体構成の一例を概念的に示す。実施形態は図１に示すように、端末管理サーバＡ（以下、「管理サーバＡ」という）が、複数の可搬型通信端末Ｂ（以下、「端末Ｂ」という）と、通信ネットワークＮ（以下、「ネットワークＮ」という）を介して接続されるという形で構成されている。
【００３３】
図２に、管理サーバＡのハードウェア構成の一例を、概念的に示す。
【００３４】
管理サーバＡは、プログラムの演算処理を実行する演算装置６と、演算結果に基づいて各装置に対する制御指示を出力する制御装置７とを有するＣＰＵ等の処理装置１と、情報を記憶するＲＡＭやハードディスク等の記憶装置２と、処理装置１の処理結果や記憶装置２に記憶する情報をインターネットやＬＡＮ等のネットワークを介して送受信する通信装置５とを少なくとも有している。管理サーバＡが実行する各機能（各手段）は、その処理を実行するプログラムが処理装置１に読み込まれることで実現される。
【００３５】
管理サーバＡは、必要に応じてキーボード、マウス又はテンキー等の入力装置３と、モニタ（画面）等の表示装置４を備えた構成としてもよい。また、管理サーバＡは、複数の端末又はサーバにその機能が分散配置されていてもよい。
【００３６】
以下、説明の便宜上、管理サーバＡを構成する処理装置１を「サーバ処理装置１ａ」、記憶装置２を「サーバ記憶装置２ａ」、入力装置３を「サーバ入力装置３ａ」、表示装置４を「サーバ表示装置４ａ」、通信装置５を「サーバ通信装置５ａ」と称することとする。
【００３７】
図３に、端末Ｂのハードウェア構成の一例を、概念的に示す。
【００３８】
端末Ｂも管理サーバＡと同様、処理装置１、記憶装置２、及び通信装置５を有している。端末Ｂは、特にタブレット端末やスマートフォンを想定しているため、ディスプレイ８（ユーザがタッチして操作可能なタッチパネル型表示装置）を有している。
【００３９】
以下、説明の便宜上、端末Ｂを構成する処理装置１を「端末処理装置１ｂ」、記憶装置２を「端末記憶装置２ｂ」、通信装置５を「端末通信装置５ｂ」と称することとする。
【００４０】
ネットワークＮは、ケーブルや無線通信等を使ってデータの送受信を行うネットワーク（ＬＡＮ）のことをいう。本発明では、特に無線通信を利用したワイヤレスＬＡＮシステム（ＷＬＡＮ）を想定している。
【実施例１】
【００４１】
〔実施例１−構成〕
以下、図面を用いて本発明の第一実施例について説明する。図４に、本発明の端末結合表示システムを構成する管理サーバＡおよび端末Ｂの機能ブロック図を示す。本発明における各構成部および各手段は、その機能が論理的に区別されているのみであって、物理上あるいは事実上同一の領域を為していてもよい。
【００４２】
また、図３は、本発明において必要となる最小限度の機器、構成部および手段等のみを記載しており、その他の機器、構成部および手段等についてはその記載を省略する。
【００４３】
管理サーバＡは、サーバ入力装置３ａ、サーバ表示装置４ａまたはサーバ通信装置５ａと様々な情報を送受信するためのサーバ制御インタフェース１０を有している。さらに、サーバ通信装置５ａは、ネットワークＮを介して端末Ｂと様々な情報を送受信することができる機能を有する。
【００４４】
管理サーバＡのサーバ処理装置１ａは、端末Ｂから出力された操作情報を取得する操作情報取得部１１、操作情報に基づき結合対象となる端末を特定する結合対象端末特定部１２、結合端末に対して表示制御指示情報を配信する表示制御指示配信部１３、操作情報に基づき端末結合処理を実行する操作が行われたことを判定する結合操作判定部１４、結合対象端末に対して結合処理実行指示を送信する結合処理指示部１５、を備えている。
【００４５】
さらに、サーバ処理装置１ａにおける結合対象端末特定部１２は、操作情報に含まれる端末識別情報に基づき結合対象端末を特定する結合対象端末特定手段１２ａと、結合対象端末の端末識別情報に所定の分類情報を付与する分類情報付与手段１２ｂとを有している。
【００４６】
管理サーバＡのサーバ記憶装置２ａは、操作情報取得部１１で取得した端末Ｂの操作情報を記憶する操作情報記憶部２１、結合対象端末特定部１２で特定した結合対象端末に関する情報を記憶する結合対象端末情報記憶部２２を備えている。
【００４７】
端末Ｂは、端末処理装置１ｂ、ディスプレイ８、または端末通信装置５ｂと様々な情報を送受信するための端末制御インタフェース３０を有している。さらに、端末通信装置５ｂは、ネットワークＮを介して管理サーバＡＣと様々な情報を送受信することができる機能を有する。
【００４８】
端末Ｂの端末処理装置１ｂは、端末の結合方向を示すアイコンをディスプレイの所定の位置に表示するアイコン表示部３１と、アイコンに対してユーザが行った操作に関する情報を生成する操作情報生成部３２と、管理サーバＡから受信した表示制御情報に従ってディスプレイの表示を変更する表示変更実行部３３と、管理サーバＡから受信した結合処理実行指示に従って結合処理を実行する結合処理実行部３４とを備えている。
【００４９】
以下、図４に記載した本発明を構成する機能ブロック図に基づいて、各構成部の動作について説明する。はじめに、本発明の情報漏洩防止システムを構成する、管理サーバＡの構成部について説明する。
【００５０】
操作情報取得部１１は、ネットワークＮに接続されている端末Ｂの操作情報をサーバ通信装置５ａおよびサーバ制御インタフェース１０を介して取得する。そして、取得した操作情報を操作情報記憶部２１に送信する。取得する操作情報の形式は、端末Ｂのユーザが実行した操作内容が把握できるものであればどのような形式のものでもよい。
【００５１】
上記の操作情報について、本実施例では、端末Ｂのディスプレイ８を用いてユーザにより実行されたアイコンに対する操作の内容を示す情報を含むこととする。具体的には、端末Ｂを一義的に特定する端末識別情報、制御処理を実行した対象を示す操作対象物情報、制御処理の内容を示す処理内容、処理を実行したユーザを一義的に特定するユーザ識別情報、および処理が実行された日時を示す日時情報を含む一連の情報が一例として考えられる。
【００５２】
さらに、上記の操作対象物情報について、本発明ではアイコンの位置情報も含むこととする。具体的には、アイコンが表示されている側面の位置のことをいう。タブレット型通信端末（四角形）であれば、上下左右の四辺を有しているので、「上」「下」「左」「右」といった情報にすると好適である。
【００５３】
また、上記の処理内容について、本発明では、アイコンへの選択（タップまたは長押し）、アイコンの移動（スライドまたはスワイプ）、またはアイコンの回転等を示す情報が含まれることとする。なお、これらは一例であって限定されるものではない。
【００５４】
操作情報記憶部２１には、操作情報取得部１１が取得した操作情報が記憶される。その際の記憶形式は、操作情報に含まれる日時情報を利用して、時系列的に記憶するという形式にすると好適である。
【００５５】
結合対象端末特定部１２の結合対象端末特定手段１２ａは、操作情報記憶部２１を参照し、操作時刻が近接している（同時に操作されている、または連続的に操作されていると判断される）操作情報のうち、アイコンの位置情報が所定の対応関係にあるものを特定する。さらに、特定した複数の操作情報それぞれから端末識別情報を抽出し、当該複数の端末識別情報を結合対象端末情報として特定する。ここでいう、「所定の対応関係」とは、複数の可搬型通信端末が結合するにあたっての対になる関係のことをいう。具体的には、位置情報における右に対する左、上に対する下（または、右と右、左と左）等が一例として考えられる。その他、同一のキャラクター、同一の記号もしくは同一の色彩が付与されたアイコンを対応関係としてもよいし、または、同一方向や対になる方向への動きもしくは同一の表示効果（点滅・色調変化・拡大縮小等）といったアイコンのアニメーションを対応関係としてもよい。
【００５６】
結合対象端末特定部１２の分類情報付与手段１２ｂは、上記で特定した結合対象端末情報に対して、所定の分類情報を付与して、結合対象端末情報記憶部に送信する。所定の分類情報について、具体的には、「グループ１」や「グループ２」といったものが一例として考えられる。
【００５７】
結合対象端末情報記憶部２２には、結合対象端末特定部１２（分類情報付与手段１２ｂ）から取得した結合対象端末情報が記憶される。その際の記憶形式は、結合対象端末情報に含まれる分類情報を基準に、同一の分類情報を有する端末識別情報は関連付けて記憶するという形式にすると好適である。
【００５８】
表示制御指示配信部１４は、結合対象端末情報記憶部２２に記憶された同一の分類情報を有する結合対象端末に対して、分類情報毎に決められた所定の表示制御指示を配信する。具体的には、グループ１は「青色」と定められていた場合、グループ１として記憶されている端末識別情報を有する端末Ｂに対して、ディスプレイを青色に表示変更させる指示を、サーバ通信装置５ａを介して配信する。これにより、どの端末とどの端末が結合対象となっているのか、ユーザに対して分かりやすく示すことができる。所定の表示制御指示としては、ディスプレイの色を表示変更させる以外に、所定の図もしくは写真等を分類情報毎に配信したり、すでにディスプレイに表示されているアイコンの色、形もしくは動き（アニメーション）を変更させる指示を配信したり、またはディスプレイ上に所定の表示（結合対象である旨を示す言葉や記号等）を表示させる指示を配信したりしてもよい。
【００５９】
結合操作判定部１５は、まず、操作情報記憶部２１を参照し、端末の結合実行を指示する操作内容を含む操作情報を特定する。そして、特定した操作情報から端末識別情報を抽出する。さらに、結合対象端末情報記憶部２２を参照し、抽出した端末識別情報が結合対象として記憶されているかどうかを確認する。結合対象として記憶されていた場合、正当な結合操作であると判定し、結合対象となっている端末識別情報を結合処理指示部１５に送信する。結合対象として記憶されていなかった場合は、不当な結合操作であると判定し、操作実行をキャンセルする。ここでいう「端末の結合実行を指示する操作内容」とは、具体的には、アイコンに対する操作内容を想定している。
【００６０】
結合処理指示部１６は、結合操作判定部１５から取得した端末識別情報を有する端末Ｂに対し、結合処理の実行指示を、サーバ通信装置５ａを介して送信する。
【００６１】
次に、本発明の端末結合表示システムを構成する、端末Ｂの構成部について説明する。
【００６２】
アイコン表示部３１は、端末Ｂにおける結合方向を示すアイコンを生成し、ディスプレイ８に表示させる。
【００６３】
操作情報生成部３２は、ユーザがディスプレイ８でアイコンに対して実行した操作に基づく操作情報を生成し、端末通信装置５ｂを介して管理サーバＡに送信する。
【００６４】
表示変更実行部３３は、管理サーバＡから受信した表示制御指示に従い、ディスプレイの表示を変更する処理を実行する。具体的には、管理サーバＡよりディスプレイ８の表示を「青色」に変更するようにという表示制御指示を受信した場合、それに従って表示変更処理を実行する。
【００６５】
結合処理実行部３４は、管理サーバＡから受信した結合処理の実行指示に従い、指示された端末識別情報を有する端末Ｂとの間で結合処理を実行する。
【００６６】
上述の構成とすることにより、結合対象端末間で結合処理が実行される前に、正しい（ユーザが意図している）結合対象端末が選択されているか、ユーザ自身が目視して確認することができるという効果がある。また、ディスプレイの表示が「色」というユーザにとって視認しやすい形式で変化するため、ユーザに対する気づきを促す意味でも効果的である。
【００６７】
なお、上記の結合処理とは、結合対象端末同士で、ディスプレイに表示する操作対象物、および当該操作対象物に対する操作内容を示す操作ログ情報を共有する処理のことをいう。ここでいう操作対象物とは、電子ファイルや画像データのことをいう。
【００６８】
結合対象端末における結合後の動作について詳細に説明する。結合処理実行後の結合対象端末は、結合対象端末間において、管理サーバAを介して操作対象物に関する情報を共有し、同一の操作対象をディスプレイに表示する。また、当該操作対象物は、結合対象端末の結合方向に基づいて分割される形でディスプレイに表示する。具体的には、結合対象端末２台であり、一方の端末Ｂの結合方向が「上」だった場合、ディスプレイ上には操作対象物の下半分が表示されることとなる。
【００６９】
さらに、結合対象端末間で、操作対象物に対する操作内容が共有される。詳細に説明すると、結合対象端末間において、管理サーバＡを介して操作ログ情報が共有されることとなる。具体的には、結合対象端末が２台である場合、一方の端末Ｂにおいて実行された操作を示す操作ログ情報は、当該端末Ｂから管理サーバに送信される。管理サーバＢは、結合対象端末である他方の端末Ｂに対して当該操作ログ情報を配信する。他方の端末Ｂでは、管理サーバＡから受信した操作ログ情報に従った操作を実行する。これにより、結合対象端末間で操作内容を共有することが可能となる。言い換えると、結合対象端末間で、同一の操作対象に対し、同一の操作内容が、ほぼ同じ時間に実行されることとなる。
【００７０】
上述の形式で結合処理を実行することにより、使用者はあたかも一つの大きなシートを閲覧・編集しているような感覚で各種操作を実施することができる。
【００７１】
〔実施例１−処理プロセス〕
次に、本発明の端末結合表示システムにおける処理プロセスの一例を、図４の機能ブロック図、および図５から図７のフローチャート等を用いて説明する。
【００７２】
まず、図５のフローチャートに沿って、操作情報記憶に関する処理を説明する。
【００７３】
端末Ｂのアイコン表示部３１は、結合可能方向を示すアイコンを生成し、端末制御インタフェース３０を介してディスプレイ８にアイコンを表示させる（Ｓ１０１）。ディスプレイ上でのアイコンの表示例を図８に示す。
【００７４】
端末Ｂの操作情報生成部３２は、ユーザのアイコンに対する操作を検出し、操作情報を生成する。さらに、操作情報生成部３２は、生成した操作情報を端末制御インタフェース３０を介して端末通信装置５ｂに送信する。端末通信装置５ｂは、ネットワークＮを介して、操作情報を管理サーバＡに送信する（Ｓ１０２）。なお、本処理プロセスにおける操作情報の送信タイミングは、操作情報生成部３１において操作情報を生成した時点で、その都度、管理サーバＡに対して送信されることとする。
【００７５】
管理サーバＡのサーバ通信装置５ａは、ネットワークＮを介して端末Ｂから出力された操作情報を受信する。次に、操作情報取得部１１は、サーバ制御インタフェース１０を介して、サーバ通信装置５ａが受信した端末Ｂの操作情報を取得する。そして、取得した操作情報を操作情報記憶部２１に記憶する（Ｓ１０２）。
【００７６】
図９に、操作情報記憶部２１に記憶される操作情報の一例を示す。この図に示すとおり、本実施例で取得する操作情報は、「端末識別情報」・「ユーザ識別情報」・「日時情報」・「処理内容」・「操作対象」・「ファイル名」・「保存場所」の主に８項目に関する情報を取得することとする。さらに、本処理プロセスにおける操作情報記憶部２１の記憶形式は、処理が実行された日時を示す日時情報順とする。図９では、「操作対象」にアイコンの位置情報も含む形で例示しているが、これを、操作対象は「アイコン」のみにし、「アイコンの位置情報」は別カテゴリで取得するという形式にしても構わない。
【００７７】
次に、図６のフローチャートに沿って、結合対象判定に関する処理を説明する。
【００７８】
管理サーバＡに位置する結合対象端末特定部１２の内部にある結合対象端末特定手段１２ａは、操作情報記憶部２１に記憶されている操作情報を検索する（Ｓ１１１）。この検索において、操作情報に含まれる処理対象が「アイコン」、かつ処理内容が「選択」となっているものを検出する（Ｓ１１２）。図８を例に説明すると、番号「１」〜「６」までの操作情報が検出されることとなる。
【００７９】
結合対象端末特定手段１２ａは、つぎに、検出した操作情報のうち、日時情報が近接（同時または連続）しているものを特定する（Ｓ１１３）。さらに、特定した操作情報のうち、操作対象となっているアイコンが所定の対応関係にあるものをさらに絞り込む（Ｓ１１４）。そして、絞り込んだ操作ログ情報に含まれる端末識別情報を抽出し、結合対象端末として特定する（Ｓ１１５）。図８を例に説明すると、（Ｓ１１３）により番号「１」〜「４」までの操作情報が特定される。さらに（Ｓ１１４）により番号「１」と「２」の操作情報が特定される。そして、（Ｓ１１５）により端末識別情報「ＣＬＡ００１」と「ＣＬＡ００５」が抽出され、結合対象端末として特定されることとなる。
【００８０】
結合対象端末特定部１２の内部にある分類情報付与手段１２ｂは、結合対象端末特定手段１２ａが抽出した結合対象端末を示す端末識別情報に、所定の分類情報を付与する（Ｓ１１６）。ここでいう、所定の分類情報とは、「グループ１」や「グループ２」といった、結合対象端末を識別可能な情報であれば、どのようなものであっても構わない。そして、分類情報付与手段１２ｂは、分類情報を付与した結合対象端末の端末識別情報（結合対象端末情報）を、結合対象端末情報記憶部２２に送信する。
【００８１】
結合対象端末情報記憶部２２は、結合対象端末特定部１２から受信した結合対象端末情報を記憶する（Ｓ１１７）。この場合の記憶形式は、結合対象端末情報に含まれる分類情報に基づいて分類したうえで記憶する形式が好適である。結合対象端末情報記憶部２２の一例を、図１０に示す。図８の操作ログ情報から抽出された端末識別情報「ＣＬＡ００１」と「ＣＬＡ００５」の場合を例に説明すると、結合対象端末特定部１２の内部にある分類情報付与手段１２ｂによって付与された「グループ１」との分類情報に基づき、結合対象端末情報記憶部２２内に記憶されることとなる。
【００８２】
表示制御指示配信部１４は、結合対象端末情報記憶部２２を参照し、同一の分類情報に属する端末Ｂに対して、所定の表示制御指示を配信する（Ｓ１１８）。ここでいう所定の表示制御指示とは、分類情報に紐づく形で予め決められているとするとよい。具体的には、表示制御指示配信部１４の内部に、表示制御指示テーブル（図示せず）などを設けておくと好適である。ここでは、ディスプレイの色を変更する表示制御指示を配信することとする。図１１にその一例を示す。なお、この表示制御は、ディスプレイの色を変更するほか、所定のアイコンや絵・文字・数字を表示させるという方法、ディスプレイの表示を点滅させる方法などが考えられる。図１０および図１１の場合を例に説明すると、「グループ１」に属する端末識別情報「ＣＬＡ００１」と「ＣＬＡ００５」に対し、ディスプレイの色を「青色」に変更するように指示する表示制御指示が配信されることになる。
【００８３】
端末Ｂの表示変更実行部３３は、管理サーバＡから受信した表示変更指示に従って、ディスプレイ８の色調を変更する（Ｓ１１９）。図１２にその一例を示す。これにより、結合対象端末のディスプレイが同一色調に変更されるため、ユーザにとって、どの端末同士が結合対象なのか視認しやすくなる。
【００８４】
結合操作判定部１５は、操作情報記憶部２１を参照し、結合処理を実行する操作（結合実行操作）がなされたかどうかを検索する（Ｓ１２１）。本実施例では、結合対象端末において同時にアイコンを移動する操作を、結合実行操作とする。結合実行操作の一例を、図１３に示す。結合実行操作には、アイコンを移動する操作以外にも、結合対象端末において同時にアイコンを２回以上連続タップする操作や、結合端末において同時にアイコンを所定時間以上長押しする操作が考えられる。いずれにせよ、結合操作が実行されたことを一義的に判定可能な操作内容であれば、その形式は問わない。
【００８５】
結合操作判定部１５は、操作情報記憶部２１から結合実行操作を検出すると（Ｓ１２２）、その操作情報から端末識別情報を抽出する。図９に示す操作情報が操作情報記憶部２１に記憶されている場合、番号「９」と「１０」の操作情報が、結合実行操作として検出される。そして、その操作情報から、端末識別情報「ＣＬＡ００１」と「ＣＬＡ００５」が抽出されることとなる。
【００８６】
つぎに、結合操作判定部１５は、抽出した端末識別情報が同一の分類情報に属する結合対象端末であるかを、結合対象端末情報記憶部２２を参照して判定する（Ｓ１２３）。図９に示す番号「９」と「１０」の操作情報の場合、抽出される端末識別情報「ＣＬＡ００１」と「ＣＬＡ００５」は、いずれも図１０に示す分類情報「グループ１」に属する結合対象端末であるため、検出された操作情報は適切な結合実行操作であると判定される。なお、分類情報が異なるため不適切な結合実行操作であると判定された場合は、本処理プロセスは終了となる。この場合の端末Ｂにおける動作の一例を、図１３に示す。
【００８７】
結合処理指示部１６は、結合操作判定部１５による「適切な結合実行操作である」とする判定結果を受信した場合、結合対象端末に対して、結合処理の実行指示を送信する（Ｓ１２４）。図９に示す番号「９」と「１０」の操作情報の場合、端末識別情報「ＣＬＡ００１」と「ＣＬＡ００５」に該当する端末Ｂに対して、結合処理の実行指示が送信される。
【００８８】
端末Ｂの結合処理実行部３４は、管理サーバＡから受信した指示に従い、結合処理を実行する（Ｓ１２５）。図９に示す番号「９」と「１０」の操作情報の場合、端末識別情報「ＣＬＡ００１」と「ＣＬＡ００５」に該当する端末Ｂの結合処理実行部３４が、結合処理を実行することとなる。
【００８９】
以下、端末Ｂで実行される結合処理の詳細について説明する。ここでは、端末識別情報「ＣＬＡ００１」と「ＣＬＡ００５」に該当する二つの端末Ｂにおいて結合処理が実行される場合を例に説明する。
【００９０】
まず、ＣＬＡ００１とＣＬＡ００５において、基準端末が決定される。基準端末の決定方法は、先に操作情報が出力された端末（先にアイコンの選択または操作がされた端末）とする方法が考えられるが、基準端末を一義的に決定可能な方法であれば、いかなる方法でも構わない。本実施例では、ＣＬＡ００１が基準端末として決定された場合を例に説明する。
【００９１】
つぎに、ＣＬＡ００１とＣＬＡ００５のディスプレイ８上に表示されている操作対象の共通化処理が実行される。本実施例では、操作対象として「写真データ」が表示される場合を例に説明する。基準端末ＣＬＡ００１は、ディスプレイ８上に表示している写真データに関する情報を、サーバＡを介してＣＬＡ００５に送信する。ＣＬＡ００５は、サーバＡから受信した情報に基づき、指定の写真データを自身のディスプレイ８上に表示する。ここで、当該写真データは、管理サーバＡからアクセス可能なデータベースに記憶されているとすると好適である。この場合、ＣＬＡ００１からは、写真データの記憶場所情報（記憶先アドレス情報）のみをＣＬＡ００５に送信すればよく、ＣＬＡ００５の方は、受信した記憶先アドレス情報に基づいて、該当する写真データ情報を検索し、ディスプレイ８上に表示すればよいため、ＣＬＡ００１とＣＬＡ００５の間でやり取りする情報量を少なく抑えつつ表示対象の共通化処理を実行することができ、好適である。
【００９２】
そして、ＣＬＡ００１とＣＬＡ００５との間で、操作対象（写真データ）をディスプレイ８に表示する際の、表示座標の調整が実行される。ここで、１台の端末Ｂで写真データを表示する場合の表示座標を「物理座標」と表現し、２台の端末Ｂで写真データを分割して表示する場合の表示座標を「クライアント座標」と表現すると、図１４に示すような形で、表示座標の調整が必要となる。なお、ＣＬＡ００１とＣＬＡ００５の相対座標は、その結合位置に応じて所定の計算式により調整されることとする。
【００９３】
上記の所定の計算式とは、端末Ｂの結合位置に応じて、あらかじめ定められた数値を加算または減算することにより算出されるとすると好適である。ここで、操作対象（写真データ）の絶対座標を（Ｘ，Ｙ）、ＣＬＡ００５のクライアント座標を（ｃｘ１，ｃｙ１）、ＣＬＡ００１のクライアント座標を（ｃｘ２，ｃｘ２）とした場合を例に、物理座標からクライアント座標への変換式を具体的に説明する。図１５に示す通り、ＣＬＡ００５においては、「ｃｘ１＝Ｘ」、「ｃｙ＝Ｙ」となり、ＣＬＡ００１においては、「ｃｘ２＝Ｘ」、「ｃｙ２＝Ｙ−３００」となる。これにより、一つの表示対象を二つの端末Ｂのディスプレイ８上で分割して表示することが可能となり、結果として、二つの端末Ｂを結合してあたかも一つの大きなディスプレイで表示しているかのような表示形式を実現することができる。
【００９４】
さらに、ＣＬＡ００１とＣＬＡ００５は、管理サーバＡを介して、操作対象に対して実行した操作内容を示す操作情報を、互いに送受信して共有し、同じ操作内容を自身のディスプレイ８が表示する操作対象に対して実行する。これにより、結合対象端末であるＣＬＡ００１とＣＬＡ００５において、同じ操作対象に対する同じ操作内容が、同じ時刻に実行されることとなる。よって、結果的に、使用者はあたかも一つの大きなシートを閲覧・編集しているような感覚で各種操作を実施することが可能となる。
【実施例２】
【００９５】
〔実施例２−構成〕
以下、図面を用いて本発明の第二実施例について説明する。図１６に、本発明の端末結合表示システムを構成する管理サーバＡおよび端末Ｂの機能ブロック図を示す。本発明における各構成部及び各手段は、その機能が論理的に区別されているのみであって、物理上あるいは事実上同一の領域を為していてもよい。
【００９６】
また、図１６は、本発明において必要となる最小限度の機器、構成部および手段等のみを記載しており、その他の機器、構成部および手段等についてはその記載を省略する。なお、〔実施例１−構成〕と同一の構成部等には同一の符号を付しており、同じ動作をする場合にはその詳細な説明は省略する。
【００９７】
本実施例の管理サーバＡにおけるサーバ処理装置１ａは、結合対象端末特定部１２の内部に、結合対象端末のうち既に結合対象端末情報記憶部２２に記憶されているものを検索する対象端末検索手段１２ｃと、既に登録済みの結合対象端末に加えて新たな結合対象端末を結合対象端末情報記憶部２２に追加記憶する追加記憶手段１２ｄとを備えているという点において、〔実施例１−構成〕と異なっている。
【００９８】
以下、図１６に記載した本発明を構成する機能ブロック図に基づいて、各構成部の動作について説明する。なお、〔実施例１−構成〕と同様の構成部又は同様の動作については、その詳細な説明を省略する。
【００９９】
結合対象端末特定部１２の結合対象端末検索手段１２ｃは、結合対象端末情報記憶部２２を参照し、結合対象端末特定手段１２ａが特定した結合対象端末を示す端末識別情報が既に記憶されていないかを検索する。そして、その検索結果と結合対象端末を示す端末識別情報とを分類情報付与手段１２ｂに送信する。
【０１００】
分類情報付与手段１２ｂは、結合対象端末検索手段１２ｃによる検索結果を受信し、既に結合対象端末情報記憶部２２に記憶済みであれば、結合対象端末の端末識別情報に当該記憶済みの分類情報と同一の分類情報を付与して、追加記憶手段１２ｄに送信する。結合対象端末情報記憶部２２に記憶されていない場合は、新しい分類情報を付与して、結合対象端末情報記憶部２２に記憶する。
【０１０１】
追加記憶手段１２ｄは、結合対象端末情報記憶部２２を参照し、結合対象端末の端末識別情報に付与された分類情報と同一の分類情報を記憶するカテゴリ内に、結合対象の端末識別情報を追加記憶する。
【０１０２】
上述の構成とすることにより、結合対象端末を二つから三つ、四つと追加していった場合でも、正しい（ユーザが意図している）結合対象端末をユーザ自身が目視して確認しやすいように、当該結合対象端末のディスプレイ表示を変更させるシステムを提供することが可能となる。
【０１０３】
〔実施例２−処理プロセス〕
次に、本発明の端末結合表示システムにおける処理プロセスの一例を、図１６の機能ブロック図及び図１７のフローチャート等を用いて説明する。なお、図１７のフローチャートにおける（Ｓ２１１）から（Ｓ２１５）、（Ｓ２２２）から（Ｓ２２３）の動作については、〔実施例１−処理プロセス〕と同様のため、その詳細を省略する。
【０１０４】
結合対象端末特定部１２の結合対象端末特定手段１２ｃは、結合対象端末のうち、既に結合対象端末情報記憶部２２に記憶済みのものがないかを検索する（Ｓ２１６）。具体例を、図９における番号「１１」と「１２」の操作情報が出力された時点を例に説明する。この場合、まず、結合対象端末特定部１２の結合対象端末特定手段１２ａにより、端末識別情報「ＣＬＡ００７」と「ＣＬＡ０１０」が結合対象端末として特定される。このとき、結合対象端末情報記憶部において記憶されている情報が、図１０に示す通りであった場合、対象端末検索手段１２ｃは、「ＣＬＡ００７」が既に記憶されている端末識別情報であることを検出し、分類情報付与手段１２ｂにその旨通知する。
【０１０５】
分類情報付与手段１２ｂは、「記憶済端末あり」とする通知を受け取った場合（Ｓ２１７）、既に結合対象端末情報記憶部２２に記憶されているものと同一の分類情報を付与する（Ｓ２１８）。前段の事例の場合、端末識別情報「ＣＬＡ００７」は、図１０に示す通り分類情報「グループ２」が付与されているので、「ＣＬＡ０１０」に対しても、同一の分類情報「グループ２」が付与される。
【０１０６】
追加記憶手段１２ｄは、結合対象端末を示す端末識別情報を、付与された分類情報に従い、結合対象端末情報記憶部２２に追加記憶する（Ｓ２１９）。前段の事例に従って追加記憶された一例を、図１８に示す。
【０１０７】
ちなみに、結合対象端末特定手段１２ｃにおいて、既に記憶されている端末情報が検出されず、「記憶済端末なし」との通知を分類情報付与手段１２ｂが受け取った場合（Ｓ２１７）、分類情報付与手段１２ｂは、新規分類情報を付与し（Ｓ２２０）、結合対象端末情報を結合対象端末情報記憶部２２に記憶する（Ｓ２２１）。（Ｓ２２０）と（Ｓ２２１）の処理については、〔実施例１−処理プロセス〕の（Ｓ１１６）から（Ｓ１１７）と同様のため、その詳細を省略する。
【実施例３】
【０１０８】
〔実施例３−構成〕
以下、図面を用いて本発明の第三実施例について説明する。図１９に、本発明の端末結合表示システムを構成する管理サーバＡおよび端末Ｂの機能ブロック図を示す。本発明における各構成部及び各手段は、その機能が論理的に区別されているのみであって、物理上あるいは事実上同一の領域を為していてもよい。
【０１０９】
また、図１９は、本発明において必要となる最小限度の機器、構成部及び手段等のみを記載しており、その他の機器、構成部及び手段等についてはその記載を省略する。なお、〔実施例１−構成〕または〔実施例２−構成〕と同一の構成部等には同一の符号を付しており、同じ動作をする場合にはその詳細な説明は省略する。
【０１１０】
本実施例の管理サーバＡにおけるサーバ処理装置１ａは、結合済み端末の結合方向を示す情報を示す結合済方向情報配信部と、サーバ記憶装置２ａは、その内部に結合済みの端末識別情報を帰国する結合済端末情報記憶部２３と、を備えているという点において、〔実施例２−構成〕と異なっている。
【０１１１】
本実施例の端末Ｂにおける端末処理装置１ｂは、アイコン表示部３１の内部に、ディスプレイ８上にアイコンを表示させるアイコン表示手段３１ａと、管理サーバＡから受信した結合済方向情報に基づいてアイコン表示を修正するアイコン表示修正手段３１ｂと、を備えているという点において、〔実施例１−構成〕および〔実施例２−構成〕と異なっている。
【０１１２】
以下、図１９に記載した本発明を構成する機能ブロック図に基づいて、各構成部の動作について説明する。なお、〔実施例１−構成〕または、〔実施例２−構成〕と同様の構成部又は同様の動作については、その詳細な説明を省略する。
【０１１３】
結合済端末情報記憶部２３は、結合操作判定部１５の判定結果に含まれる端末識別情報と結合済方向情報を関連付けて記憶する。この際、端末識別情報に付与された分類情報別に記憶され、さらに、端末識別情報と結合済方向情報とが関連付けて記憶される形式とすると好適である。
【０１１４】
結合済方向情報配信部１７は、結合済端末情報記憶部２３を参照し、記憶されている端末識別情報を有する端末Ｂに対し、関連付けて記憶されている結合済方向情報を、サーバ通信装置５ａを介して配信する。この配信の頻度およびタイミングは、どのようなものであっても構わない。
【０１１５】
アイコン表示部３１の内部に位置するアイコン表示手段３１ａは、ディスプレイ８に対して、結合可能な方向を示すアイコンを表示させる。
【０１１６】
アイコン表示修正手段３１ｂは、管理サーバＡから受信した結合済方向情報に従い、ディスプレイ８に表示されているアイコン情報のうち、結合済方向に該当するアイコン表示を修正する処理を実行する。具体的には、結合済方向に該当するアイコン表示を消す修正を実行すると好適である。
【０１１７】
上述の構成とすることにより、ユーザにとって結合可能な方向が目視して確認しやすいように、端末Ｂのディスプレイ表示を変更させるシステムを提供することが可能となる。
【０１１８】
〔実施例３−処理プロセス〕
次に、本発明の端末結合表示システムにおける処理プロセスの一例を、図１９の機能ブロック図、および図２０から図２１のフローチャート等を用いて説明する。
【０１１９】
結合済端末情報記憶部２３は、結合操作判定部１５から受信した結合済端末情報を記憶する（Ｓ３０１）。その記憶形式の一例を、図２２に示す。
【０１２０】
次に、結合方向情報配信部１７は、結合済端末情報記憶部２３を参照し、端末識別情報を特定する（Ｓ３０２）。さらに、特定した端末識別情報に関連付けて記憶されている結合済方向情報を抽出する（Ｓ３０３）。そして、特定した端末識別情報を有する端末Ｂに対して、結合済方向情報を配信する（Ｓ３０４）。図２２の場合を例に説明すると、特定した端末識別情報が「ＣＬＡ００７」だった場合、端末Ｂ（ＣＬＡ００７）に対して、結合済方向情報「上」と「右」が配信されることとなる。
【０１２１】
端末Ｂにおけるアイコン表示部３１のアイコン表示手段３１ａは、ディスプレイ８に対してアイコンを表示する（Ｓ３１１）。ここで、当該端末Ｂが管理サーバＡより、結合済方向情報を受信している場合（Ｓ３１２）、アイコン表示修正手段３１ｂは、当該結合済方向を示すアイコンをディスプレイ８に表示させないように、アイコン表示の修正を実行する（Ｓ３１３）。ちなみに、結合済方向情報を受信していない場合（Ｓ３１２）は、表示変更処理は実行されないものとする。
【０１２２】
上述の事例を具体的に説明する。図２２に示す「グループ２」に該当する端末Ｂに対して結合済方向情報が配信された場合を例に考えると、ＣＬＡ００７には結合済方向情報「上」と「右」、ＣＬＡ０１５には結合済方向情報「下」、ＣＬＡ０１０には結合済方向情報「左」が、それぞれ配信される。各端末Ｂにおいて、アイコン表示修正処理が実行された結果のイメージを、図２３に示す。
【０１２３】
本実施例のような表示を実現することにより、ディスプレイには、ユーザが現に操作をしようとする時点において、結合可能な方向を示すアイコンのみが表示されることになるため、ユーザによる誤操作発生を抑止する、という効果がある。
【産業上の利用可能性】
【０１２４】
上述のように構成された本発明を用いることによって、ユーザによる直感的で簡単な操作によって結合対象端末の特定ができるとともに、どの端末が結合対象なのかが一目で分かるため、ユーザによる誤操作も防止する仕組みを兼ね備えたシステムを提供することができる。
【符号の説明】
【０１２５】
Ａ    管理サーバ
Ｂ    端末
１    処理装置
２    記憶装置
３    入力装置
４    表示装置
５    通信装置
６    演算装置
７    制御装置
８    ディスプレイ
１ａ    サーバ処理装置
１ｂ    端末処理装置
２ａ    サーバ記憶装置
３ａ    サーバ入力装置
４ａ    サーバ表示装置
５ａ    サーバ通信装置
５ｂ    端末通信装置
１０    サーバ制御インタフェース
１１    操作情報取得部
１２    結合対象端末特定部
１２ａ    結合対象端末特定手段
１２ｂ    分類情報付与手段
１２ｃ    対象端末検索手段
１２ｄ    追加記憶手段
１４    表示制御指示配信部
１５    結合操作判定部
１６    結合処理指示部
１７    結合済方向情報配信部
２１    操作情報記憶部
２２    結合対象情報記憶部
２３    結合済情報記憶部
３０    端末制御インタフェース
３１    アイコン表示部
３１ａ    アイコン表示手段
３１ｂ    アイコン表示修正手段
３２    操作情報生成部
３３    表示変更実行部
３４    結合処理実行部
【図１】
0006353795.tif 000002
【図２】
0006353795.tif 000003
【図３】
0006353795.tif 000004
【図４】
0006353795.tif 000005
【図５】
0006353795.tif 000006
【図６】
0006353795.tif 000007
【図７】
0006353795.tif 000008
【図８】
0006353795.tif 000009
【図９】
0006353795.tif 000010
【図１０】
0006353795.tif 000011
【図１１】
0006353795.tif 000012
【図１２】
0006353795.tif 000013
【図１３】
0006353795.tif 000014
【図１４】
0006353795.tif 000015
【図１５】
0006353795.tif 000016
【図１６】
0006353795.tif 000017
【図１７】
0006353795.tif 000018
【図１８】
0006353795.tif 000019
【図１９】
0006353795.tif 000020
【図２０】
0006353795.tif 000021
【図２１】
0006353795.tif 000022
【図２２】
0006353795.tif 000023
【図２３】
0006353795.tif 000024